(57)【要約】【課題】重送検知による取扱時間増加を低減し、簡易な構成で確実に重送を検知することを課題とする。【解決手段】冊子状媒体処理装置において、複数の搬送ローラの少なくとも一部が挟持を開放する状態に切り替わるときに、捲りローラを冊子状媒体に接触させかつ回転させ、制御部にて、重送検知センサから受信する冊子状媒体の存在の検知に関する信号に基づいて重送の有無を判定する。【選択図】図２
2015114925.tif 000002
【特許請求の範囲】
【請求項１】
冊子状媒体の挿入を受ける挿入口と、
挿入された前記冊子状媒体を搬送するための複数の搬送ローラを備える搬送路と、
前記冊子状媒体について複数が重なって搬送される重送を検知するための重送検知センサと、
捲りローラと、
制御部とを有し、
前記制御部は、
前記冊子状媒体を前記搬送路上の前記捲りローラの近傍位置へ搬送させる処理と、
前記冊子状媒体が前記捲りローラの近傍位置に搬送されたときに、前記複数の搬送ローラの少なくとも一部を前記冊子状媒体を挟持する状態から挟持を開放する状態へ切り替える処理と、
前記複数の搬送ローラの少なくとも一部が前記挟持を開放する状態に切り替わるときに、前記捲りローラを前記冊子状媒体に接触させかつ回転させる処理と、
前記重送検知センサから受信する、前記冊子状媒体の存在の検知に関する信号に基づいて前記重送の有無を判定する処理とを制御することを特徴とする冊子状媒体処理装置。
【請求項２】
前記捲りローラの前記冊子状媒体に接する領域と前記搬送ローラの前記冊子状媒体に接する領域とは、前記冊子状媒体よりも摩擦係数が高い素材で構成されることを特徴とする請求項１に記載の冊子状媒体処理装置。
【請求項３】
前記捲りローラの前記冊子状媒体に接する領域と前記搬送ローラの前記冊子状媒体に接する領域とは、摩擦係数が異なることを特徴とする請求項１に記載の冊子状媒体処理装置。
【請求項４】
前記捲りローラは、前記搬送ローラの少なくとも一部が前記挟持を開放する状態であるときに、前記冊子状媒体を繰り出すように回転することを特徴とする請求項１に記載の冊子状媒体処理装置。
【請求項５】
前記搬送ローラは、駆動ローラと前記駆動ローラの回転に従動して回転する従動ローラとを有し、前記制御部は、前記挟持を開放する状態の前記搬送ローラの少なくとも一部について、前記駆動ローラと前記従動ローラとの距離を広げるように制御することを特徴とする請求項１に記載の冊子状媒体処理装置。
【請求項６】
前記搬送ローラの前記冊子状媒体に接する領域は、前記捲りローラの前記冊子状媒体に接する領域よりも大きい摩擦力を前記差市場媒体との間で生じ、
前記重送検知センサは、前記搬送路方向において前記捲りローラよりも前記挿入口側と反対の方向よりに配置されることを特徴とする請求項１に記載の冊子状媒体処理装置。
【請求項７】
一の前記冊子状媒体が前記近傍部位に搬送される場合、前記重送検知センサは前記冊子状媒体の存在を検知しない状態を継続し、前記制御部は前記信号に基づいて前記重送なしと判断し、
複数の前記冊子状媒体が前記近傍部位に搬送される場合、前記重送検知センサは前記冊子状媒体の存在を検知しない状態から検知する状態へ遷移し、前記制御部は前記信号に基づいて前記重送ありと判断することを特徴とする請求項５に記載の冊子状媒体処理装置。
【請求項８】
一の前記冊子状媒体が前記近傍部位に搬送される場合、一の前記冊子状媒体は前記捲りローラが回転するときに実質的に移動せず、
複数の前記冊子状媒体が前記近傍部位に搬送される場合、複数の前記冊子状媒体のうちの前記捲りローラに接する冊子状媒体は、前記捲りローラが回転するときに前記重送検知センサ側へ繰り出され、複数の前記冊子状媒体のうちの前記捲りローラに接しない第２の媒体は、実質的に移動しないことを特徴とする請求項５乃至６に記載の冊子状媒体処理装置。
【請求項９】
前記捲りローラの前記冊子状媒体に接する領域は、前記搬送ローラの前記冊子状媒体に接する領域よりも大きい摩擦力を前記差市場媒体との間で生じ、
前記重送検知センサは、前記搬送路方向において前記捲りローラよりも前記挿入口側よりに配置されることを特徴とする請求項１に記載の冊子状媒体処理装置。
【請求項１０】
一の前記冊子状媒体が前記近傍部位に搬送される場合、前記重送検知センサは前記冊子状媒体の存在を検知する状態から検知しない状態へ遷移し、前記制御部は前記信号に基づいて前記重送なしと判断し、
複数の前記冊子状媒体が前記近傍部位に搬送される場合、前記重送検知センサは前記冊子状媒体の存在を検知する状態を継続し、前記制御部は前記信号に基づいて前記重送ありと判断することを特徴とする請求項８に記載の冊子状媒体処理装置。 
【請求項１１】
一の前記冊子状媒体が前記近傍部位に搬送される場合、一の前記冊子状媒体は前記捲りローラが回転するときに前記搬送路方向において前記捲りローラよりも前記挿入口側と反対の方向へ繰り出され、
複数の前記冊子状媒体が前記近傍部位に搬送される場合、複数の前記冊子状媒体のうちの前記捲りローラに接する冊子状媒体は、前記捲りローラが回転するときに前記搬送路方向において前記捲りローラよりも前記挿入口側と反対の方向へ繰り出され、複数の前記冊子状媒体のうちの前記捲りローラに接しない第２の媒体は、実質的に移動しないことを特徴とする請求項８乃至９に記載の冊子状媒体処理装置。
【発明の詳細な説明】
【技術分野】
【０００１】
本発明は、銀行などの金融機関で使用され通帳に取引情報の印字を行う通帳取扱装置に関する。
【背景技術】
【０００２】
現金自動預払い機（ＡＴＭ）における通帳印字では、一般に、挿入された通帳の磁気ストライプなどの記憶手段に記憶された次印字行、通帳取扱装置の頁マーク検出手段で検出した挿入頁、および印字行検出手段で検出した最終印字済行に基づいて、挿入されたページが妥当である場合に、処理を受け付ける。
【０００３】
このような通帳取扱装置に利用者が通帳を挿入する際に利用者が誤って二冊あるいはそれ以上の通帳を開いた状態で挿入（重送）する場合、印字面側の通帳に磁気面側の通帳の口座情報に基づく印字がなされる可能性がある。この可能性を回避する策として、挿入された通帳の厚さに応じて搬送する通帳が一冊か複数冊かを判定する技術がある（例えば特許文献１乃至３）また、通帳の捲り処理により通帳をずらして分離し、分離後の通帳の長さを検出して重走検知を行う技術がある（例えば特許文献４）。
【先行技術文献】
【特許文献】
【０００４】
【特許文献１】特開平１０−２４１０１３号公報
【特許文献２】特開平 ８− ２６５２８号公報
【特許文献３】特開昭６０−２５０４９０号公報
【特許文献４】特開２０１１−２４３０６２号公報
【発明の概要】
【発明が解決しようとする課題】
【０００５】
重送検知については、重なった冊子状媒体(通帳)をずらして媒体の長さを検出する場合、媒体の重なりを検出するために長さ検知用の媒体の搬送が必要となり、取扱時間が増加する課題がある。
【０００６】
また、挿入された媒体の厚さに応じて重なりを判定する方式においては、高精度の厚み検知センサが追加で必要となり、通帳処理装置の大型化やコストアップの課題がある。
【０００７】
本発明は、媒体の重なりを検出するための長さ検知向けの媒体搬送を行わない媒体の重送検知により、重送検知による取扱時間増加を低減し、簡易な構成で確実に重送を検知することを課題とする。
【課題を解決するための手段】
【０００８】
本発明による冊子状媒体処理装置は一例として、冊子状媒体の挿入を受ける挿入口と、挿入された前記冊子状媒体を搬送するための複数の搬送ローラを備える搬送路と、前記冊子状媒体について複数が重なって搬送される重送を検知するための重送検知センサと、捲りローラと、制御部とを有し、前記制御部は、前記冊子状媒体を前記搬送路上の前記捲りローラの近傍位置へ搬送させる処理と、前記冊子状媒体が前記捲りローラの近傍位置に搬送されたときに、前記複数の搬送ローラの少なくとも一部を前記冊子状媒体を挟持する状態から挟持を開放する状態へ切り替える処理と、前記複数の搬送ローラの少なくとも一部が前記挟持を開放する状態に切り替わるときに、前記捲りローラを前記冊子状媒体に接触させかつ回転させる処理と、前記重送検知センサから受信する、前記冊子状媒体の存在の検知に関する信号に基づいて前記重送の有無を判定する処理とを制御することを特徴とする。
【発明の効果】
【０００９】
搬送路に沿って搬送する冊子状媒体の重送を精度良く判定することができる。また、重送検知にあたり冊子状媒体(通帳)の長さの検出が不要であるため、取引時間の増加をおさえつつも取引明細の誤印字の機会を極小化し、冊子状媒体を用いた取引処理の信頼性を高めることができる。
【図面の簡単な説明】
【００１０】
【図１】通帳処理ユニットの主要部の構成を示すブロック図である。
【図２】通帳処理ユニットの内部構成を示す概略図である。
【図３】通帳がページ捲り位置に位置する状態を示している。
【図４】通帳が重送検査位置に位置する状態を示している。
【図５】ページ捲り処理を説明する図である。
【図６】ページ捲り処理を説明する図である。
【図７】ページ捲り処理を説明する図である。
【図８】ページ捲り処理を説明する図である。
【図９】ページ捲り処理を説明する図である。
【図１０】繰出処理を説明する図である。
【図１１】繰出処理を説明する図である。
【図１２】繰出処理を説明する図である。
【図１３】繰出処理を説明する図である。
【図１４】繰出処理を説明する図である。
【図１５】通帳処理ユニットの動作を示すフローチャートである。
【図１６】別の実施形態の繰出処理を説明する図である。
【図１７】別の実施形態の繰出処理を説明する図である。
【図１８】別の実施形態の繰出処理を説明する図である。
【図１９】別の実施形態の繰出処理を説明する図である。
【図２０】別の実施形態の繰出処理を説明する図である。
【発明を実施するための形態】
【００１１】
図１は、通帳媒体処理装置である通帳処理ユニットの主要部の構成を示すブロック図である。図２は、この通帳処理ユニットの内部構成を示す概略図である。この通帳処理ユニット１は、図１に示すように、制御部２と、搬送部３と、検知部４と、磁気データ処理部５と、印字部６と、バーコード読取部７と、ページ捲りローラ駆動部８と、通信部９と、を備えている。   
この通帳処理ユニット１は、銀行等の金融機関に設置される現金自動預け払い機（ＡＴＭ）や、記帳機等の自動機に組み込むことができる。この通帳処理ユニット１は、通帳を受け付けると、その通帳に対応する口座に対して行われた取引であって、その時点で取引内容を当該通帳に印字していない取引（このとき、同時に行う取引も含む。）があれば、その取引の取引内容を受け付けた通帳に印字する。   
図１、および図２を参照しながら、通帳処理ユニット１の各部の構成について説明する。制御部２は、通帳処理ユニット１本体各部の動作を制御する。制御部２は、ＣＰＵやメモリ（不揮発性メモリ、および揮発性メモリ）を有する。この制御部２が、本実施例におけるページ捲り処理部、繰出処理部、および重送判定部にかかる構成を有する。   
搬送部３は、搬送路に沿って通帳を搬送する。搬送路は、一対の搬送ローラ３１〜３６を並べて形成している。一対の搬送ローラ３１〜３６は、一方がパルスモータ（不図示）により回転駆動される駆動ローラであり、他方が駆動ローラの回転に従動して回転する従動ローラである。隣接する搬送ローラ３１〜３６の間隔は、ページを開いた通帳の搬送方向の長さよりも短い。搬送部３は、通帳を、駆動ローラと従動ローラとで挟持して搬送する。搬送路は、通帳処理ユニット１本体正面に設けた通帳挿入口１２と、後述するページ捲り位置とを結んでいる。また、搬送路における通帳挿入口１２とページ捲り位置との間に、後述する磁気データ読取位置、印字位置、光学データ読取位置、重送検査位置等を設定している。   
また、搬送部３は、制御部２からの指示にしたがって駆動ローラを回転駆動する。また、搬送部３は、制御部２からの指示にしたがって駆動ローラの回転方向を切り替えることで、通帳を通帳挿入口１２から通帳処理ユニット１本体内部に取り込む方向（図２に示す左方向）、および通帳処理ユニット１本体内部から通帳挿入口１２に排出する方向（図２に示す右方向）に搬送することができる。ここでは、搬送路における通帳の搬送方向にかかわらず、通帳挿入口１２側を通帳の後端といい、搬送路での通帳挿入口１２側と反対の側を通帳の先端という。  
なお、ここでは、搬送路を６つの搬送ローラ３１〜３６で構成した例を示しているが、搬送路を形成する搬送路ローラの個数については、６つに限定されることはなく、いくつであってもよい。   
検知部４は、通帳の有無を検知する搬送路の検知点毎に、光学センサ４１〜４５を有している。光学センサ４１は、反射型であってもよいし、透過型であってもよい。ここでは、反射型の光学センサ４１〜４５を用いた場合を例にしている。検知部４は、光学センサ４１〜４５毎に、その光学センサ４１〜４５の検知位置における通帳の先端（ページ捲り位置側）、または後端（通帳挿入口１２側）の通過を検知する。   
制御部２は、光学センサ４１〜４５による先端、または後端の検知、および搬送部３による通帳の搬送量（駆動ローラの回転量）に基づき、搬送路における通帳の位置を推定する。光学センサ４１の検知位置と、光学センサ４４の検知位置との距離は、搬送路に沿って搬送するページを開いた状態の通帳の搬送方向の長さよりも長いものとする。差は数十ｍｍ（３０〜４０ｍｍ程度）であってもよい。したがって、光学センサ４１と光学センサ４４とが同時に通帳を検出したときには、何らかの異常が生じている。   
なお、ここでは、搬送路に沿って配置した５つの光学センサ４１〜４５を例示しているが、その個数については、５つに限定されることはなく、いくつであってもよい。   
磁気データ処理部５は、搬送路を搬送されている通帳に貼付されている磁気ストライプに当接し、この磁気ストライプに対する磁気データの読取や記録を行う磁気ヘッド５１を有している。この磁気ストライプには、対応する口座の口座番号等が記録されている。この磁気ヘッド５１を配置している位置が、磁気データ読取位置である。   
印字部６は、搬送路を搬送されている通帳に対して取引内容を印字する印字ヘッド６１を有している。この印字ヘッド６１を配置している位置が、印字位置である。   
バーコード読取部７は、搬送路を搬送されている通帳の開かれている頁に印刷されているバーコード（頁番号等）を読み取るバーコードリーダ７１を有している。このバーコードリーダ７１を配置している位置が、光学データ読取位置である。   
ページ捲りローラ駆動部８は、搬送路を搬送されている通帳の頁を捲るページ捲りローラ８１を回転駆動する。ページ捲りローラ駆動部８は、制御部２からの指示にしたがってページ捲りローラ８１を回転する。ページ捲りローラ８１の回転方向は１方向であってもよい（図２において、右回りである。）。ページ捲りローラ８１を回転したときに、通帳がページ捲り位置にあれば、本実施例におけるページ捲り処理が行われ、通帳が重送検査位置にあれば、本実施例における繰出処理が行われる。   
さらに、通信部９は、この通帳処理ユニット１を組み込んだＡＴＭや記帳機等の上位装置の主制御部（不図示）との間における通信を行う。   
ここでページ捲り位置と、重送検査位置とについて説明する。図３は、通帳がページ捲り位置に位置する状態を示している。図４は、通帳が重送検査位置に位置する状態を示している。図３、および図４に示すように、ページ捲り位置と、重送検査位置とでは、ページ捲りローラ８１に対する、通帳の背山の位置が異なる。ページ捲りローラ８１は、図３、および図４に矢示する方向に回転する。ページ捲りローラ８１は、偏心ローラであり、回転したときに、周面の一部が搬送路に位置している通帳の開かれているページに当接する。ページ捲り位置では、ページ捲りローラ８１を回転させたとき、このページ捲りローラ８１が当接したページが通帳の背山側に捲り上げられる方向に摩擦力が生じる。図３に示すように、ページ捲り位置では、通帳の背山がページ捲りローラ８１よりも先端側に位置している。   
一方、重送検査位置では、ページ捲りローラ８１を回転させたとき、このページ捲りローラ８１が当接したページが通帳の背山側に捲り上げられる方向ではなく、通帳を先端側に繰り出す方向に摩擦力が生じる。図４に示すように、重送検査位置では、通帳の背山がページ捲りローラ８１よりも後端側に位置している。   
次に、図５〜図９を参照しながら、ページ捲り処理について説明する。図５は、通帳をページ捲り位置に搬送し、停止した状態を示している。制御部２は、ページ捲りローラ駆動部８に対して、ページ捲りローラ８１の回転駆動を指示する。ページ捲りローラ駆動部８は、この指示にしたがって、ページ捲りローラ８１を１回転する。このページ捲りローラ８１の回転により、ページ捲りローラ８１が当接したページが通帳の背山側に捲り上げられる（図６、図７参照）。   
制御部２は、搬送部３に対して通帳を印字位置側に搬送することを指示する。搬送部３が、この指示にしたがって、通帳を印字位置側に搬送すると、ページ捲りローラ８１により捲り上げられたページが、通帳の搬送にともなって、反対側に倒れる（図８、図９参照）。これにより、通帳のページが捲られた状態になる。   
次に、図１０〜図１４を参照しながら、繰出処理について説明する。図１０は、通帳を搬送路上のページ捲りローラの近傍位置である重送検査位置に搬送し、停止した状態を示している。制御部２は、搬送部３に対して搬送ローラ３１〜３６の駆動ローラと従動ローラ(搬送路上の搬送ローラの少なくとも一部)との距離を広げる（挟持の開放）ことを指示する。搬送部３は、搬送ローラ３１〜３６の駆動ローラ、または従動ローラの少なくとも一方の回転軸を搬送路における通帳の搬送面に対して実質的に垂直方向に移動できる構成である。すなわち、搬送部３は、搬送ローラ３１〜３６が通帳を挟持する状態と、通帳の挟持を開放する状態との切り換えが行える。ここで、通帳の挟持を開放する状態とは、搬送ローラの少なくとも一部が通帳に接触しつつ通帳を挟む圧力を通帳を挟持する状態よりも弱めた状態をいう。
【００１２】
搬送部３は、制御部２からの指示にしたがって、搬送ローラ３１〜３６の駆動ローラと従動ローラとの距離を広げて挟持を開放し、搬送ローラ３１〜３６が通帳を挟持を開放する状態に切り換える（図１１参照）。   
制御部２は、ページ捲りローラ駆動部８に対して、ページ捲りローラ８１の回転駆動を指示する。ページ捲りローラ駆動部８は、この指示にしたがって、ページ捲りローラ８１を１回転する。通帳は、このページ捲りローラ８１の回転により、ページ捲りローラ８１が当接したページとの間で生じた摩擦力により、先端側（図１２に示す左側）に繰り出される。なお、ページ捲りローラと搬送ローラの通帳に接する領域とは、通帳よりも摩擦係数が高い素材で構成される。また、ページ捲りローラと搬送ローラの通帳に接する領域とは、摩擦係数が異なる構成とし、摩擦係数の違いにより、ページ捲りローラと搬送ローラとの間の通帳の動きを制御してもよい。本実施例では、搬送ローラの通帳に接する領域は、ページ捲りローラの通帳に接する領域よりも摩擦係数が高い素材を用いてもよい。この場合、後述する重送された通帳のうちの一の通帳の繰り出しをよりスムーズに行うことが可能である。
重送検査位置に搬送された通帳が一冊の場合、ページ捲りローラ８１が当接した通帳面とページ捲りローラ８１との間で生じる摩擦力は、搬送ローラ３４と搬送ローラ３４が当接した通帳面との間で生じる摩擦力よりも小さい。このため、ページ捲りローラ８１の摩擦による通帳繰り出し力が弱くなり、図１３に示すように、通帳は重送検査位置からほとんど移動しない。
【００１３】
このとき、重送検知センサ４５は、通帳によって検知範囲を遮られることがないために、通帳の存在を検知しない状態が継続する。この結果として、重送検知センサ４５からの実質的に変化のない信号を受理する制御部２は重送なしと判断する。  一方、重送検査位置に搬送された通帳が複数（２冊）重なって重送となっていた場合、搬送ローラ３４に当接している通帳は、搬送ローラ３４と搬送ローラ３４が当接した通帳面との間で生じる摩擦力が大きいことにより重送検査位置からほとんど移動しない。しかし、ページ捲りローラ８１に当接している通帳は、搬送ローラ３４に当接している通帳との接触面の摩擦力が通帳間の摩擦力であることから小さいため、ページ捲りローラ８１の摩擦による通帳繰り出し力が強くなり、図１４に示すように、ページ捲り位置側（通帳挿入口向き方向と逆の方向）に移動する。
【００１４】
このとき、重送検知センサ４５は、ページ捲りローラ８１に当接している通帳によって検知範囲を遮られるために、通帳の存在を検知しない状態から検知する状態へと遷移する。この結果として、重送検知センサ４５からの遷移を含む信号を受理する制御部２は重送ありと判断する。
【００１５】
その後、制御部２は、搬送部３に対して搬送ローラ３１〜３６の駆動ローラと、従動ローラとの挟持の開放の解除を指示する。搬送部３は、制御部２からの指示にしたがって、搬送ローラ３１〜３６が通帳を挟持する状態に戻す。さらに、制御部２は、搬送部３に対して通帳を印字位置側に搬送することを指示する。搬送部３が、この指示にしたがって、通帳を印字位置側に搬送する。  
次に、この通帳処理ユニット１の動作について説明する。図１５は、通帳処理ユニットの動作を示すフローチャートである。   
制御部２は、通帳挿入口１２に通帳が挿入されるのを待つ（ｓ１）。通帳処理ユニット１は、検知部４が光学センサ４１により物体を検知すると、通帳挿入口１２に通帳が挿入されたと判定する。   
制御部２は、搬送部３により、通帳挿入口１２に挿入された通帳を重送検査位置に搬送する搬送処理を開始する（ｓ２）。   
通帳処理ユニット１は、重送検査位置に向かって搬送している通帳に対して、磁気データの読み取り（ｓ３）、バーコードの読み取り（ｓ４）を行う。<*6：10月打合せを踏まえ長さ算出を削除しました。＞ｓ３では、磁気データ処理部５が搬送路に沿って搬送されている通帳に貼付されている磁気ストライプに磁気ヘッド５１を当接し、記録されている磁気データを読み取る。   
ｓ４では、バーコード読取部７が、搬送路に沿って搬送されている通帳の開かれているページに印刷されているバーコードを読み取るとともに、そのページの印字済最終行を検知する。   
制御部２は、ｓ３で読み取った磁気データ、ｓ４で読み取ったバーコードに基づき、通帳が適正であるかどうかを判定する（ｓ５）。ｓ５では、今回通帳挿入口１２に挿入されたものが、通帳以外のもの（異物）であった場合も、適正でないと判定する。   
制御部２は、ｓ５で通帳が適正でないと判定すると、ｓ２で開始した重送検査位置への搬送処理を中止し、通帳（または異物）を通帳挿入口１２に放出（返却）するエラー処理を行い（ｓ６）、本処理を終了する。また、ｓ６では、ＡＴＭや記帳機等の上位装置に対して警告報知を要求してもよい。   
制御部２は、ｓ５で通帳が適正であると判定すると、その通帳がページ捲りローラ８１の近傍位置である重送検査位置に達するのを待つ（ｓ７）。制御部２は、通帳が重送検査位置に達すると、上述した繰出処理を行う（ｓ８）。制御部２は、重送検知センサ４５の読み取りを開始する（ｓ９）。   
制御部２は、重送検知センサ４５で通帳の存在を検知すると
重送検知センサ４５が送信する、通帳の存在の検知に関する信号を受信する制御部２は当該信号に基づいて重送の発生の有無を判定（ｓ１０）し、発生している場合にはｓ６でエラー処理を行う。制御部２は、通帳の重送が生じていないと判定すると、この通帳を印字位置に搬送し、印字処理を行い（ｓ１１）、この印字処理が完了すると、通帳を通帳挿入口１２に搬送し（ｓ１３）、本処理を終了する。   
ｓ１１における印字処理では、取引内容を印字しているページの最終行に対する印字を行うと、この通帳をページ捲り位置に搬送し、上述したページ捲り処理を行った後に、取引内容を通帳に印字する印字処理を再開する。   
このように、本実施例の通帳処理ユニット１は、重送判断の際に媒体の搬送が不要なので重送検知に伴う処理時間を大幅に削減することができ、また、重送の検知精度も十分に確保できる。   
なお、本実施例に記載の発明は、上述の通帳処理ユニットに限らず、ページを開いた状態で冊子状媒体を送路に沿って搬送する機器に適用できる。  
以上に示した実施例では重送検知センサ４５をページ捲りローラ８１と搬送ローラ３５の間、すなわち搬送路方向においてページ捲りローラ８１よりも通帳挿入口側と反対の方向よりに配置し、ページ捲りローラ８１が当接した通帳との間で生じる摩擦力を、搬送ローラ３４が当接した通帳との間で生じた摩擦力よりも小さくなるように構成し、通帳の繰り出しの有無から重送を検知している。以下に、さらに他の実施例を説明する。
【００１６】
他の実施例では、重送検知センサ４５を搬送ローラ３３と搬送ローラ３４の間、すなわち搬送路方向においてページ捲りローラ８１よりも通帳挿入口側よりに配置し、ページ捲りローラ８１が当接した通帳との間で生じる摩擦力を、搬送ローラ３４が当接したページとの間で生じた摩擦力よりも大きくなるように構成し、1冊の通帳の場合には繰り出しにより重送センサの検知内容が変化することを検知する。
【００１７】
なお、ページ捲りローラと搬送ローラの通帳に接する領域とは、通帳よりも摩擦係数が高い素材で構成される。また、ページ捲りローラと搬送ローラの通帳に接する領域とは、摩擦係数が異なる構成とし、摩擦係数の違いにより、ページ捲りローラと搬送ローラとの間の通帳の動きを制御する。
【００１８】
本実施例では、ページ捲りローラの通帳に接する領域は、搬送ローラの通帳に接する領域よりも摩擦係数が高い素材を用いる。ページ捲りローラはページ捲りのために通帳と接する領域の摩擦係数が高くなるように構成されており、搬送ローラの通帳に接する領域の摩擦係数を特にページ捲りローラの通帳と接する領域よりも小さく構成することにより、ページ捲りローラと通帳との間の摩擦力を、搬送ローラと通帳との間の摩擦力より確実に大きくさせ、通帳の搬送をよりスムーズに実行することができる。
【００１９】
また、ページ捲りローラの通帳と接する領域は、搬送ローラの通帳に接する領域よりも可塑性が高い素材としてもよい。この場合、ページ捲りローラと通帳との接触の際の接触面が大きくなり、ページ捲りローラと通帳との間の摩擦力を、搬送ローラと通帳との間の摩擦力よりもさらに確実に大きくさせ、通帳の搬送をさらにスムーズに実行することができる。
【００２０】
図１６〜図２０を参照しながら、この方式について説明する。図１６は、通帳を重送検査位置に搬送し、停止した状態を示している。制御部２は、搬送部３に対して搬送ローラ３１〜３６の駆動ローラと従動ローラとの距離を広げる（挟持の開放）することを指示する。挟持の開放については、上記の実施例と同様である。搬送部３は、搬送ローラ３１〜３６の駆動ローラ、または従動ローラの少なくとも一方の回転軸を搬送路における通帳の搬送面に対して実質的に垂直方向に移動できる構成である。すなわち、搬送部３は、搬送ローラ３１〜３６が通帳を挟持する状態と、通帳の挟持を開放する状態との切り換えが行える。搬送部３は、制御部２からの指示にしたがって、搬送ローラ３１〜３６の駆動ローラと従動ローラとの距離を広げて挟持を開放し、搬送ローラ３１〜３６が通帳の挟持を開放する状態に切り換える（図１７参照）。   
制御部２は、ページ捲りローラ駆動部８に対して、ページ捲りローラ８１の回転駆動を指示する。ページ捲りローラ駆動部８は、この指示にしたがって、ページ捲りローラ８１を１回転する。通帳は、このページ捲りローラ８１の回転により、ページ捲りローラ８１が当接したページとの間で生じた摩擦力により、先端側（図１８に示す左側）に繰り出される。   
重送検査位置に搬送された通帳が一冊の場合、ページ捲りローラ８１が当接した通帳面とページ捲りローラ８１との間で生じる摩擦力は、搬送ローラ３４が当接した通帳面との間で生じる摩擦力よりも大きいため＜＊７同様＞、図１９に示すように、通帳は、先端側（図１８に示す左側）に繰り出され、通帳挿入口から遠ざかる方向に移動する。
【００２１】
このとき、重送検知センサ４５は、ページ捲りローラ８１の回転前には検知範囲を遮っていた通帳が移動して検知範囲を遮らなくなるために、通帳の存在を検知する状態から検知しない状態へ遷移する。この結果として、重送検知センサ４５からの遷移を含む信号を受理する制御部２は、重送なしと判断する。
【００２２】
一方、重送検査位置に搬送された通帳が複数（２冊）重なって重送となっていた場合、搬送ローラ３４に当接している通帳は、搬送ローラ３４と搬送ローラ３４が当接した通帳面との間で生じる摩擦力が大きいので重送検査位置から実質的に移動しない。しかし、ページ捲りローラ８１に当接している通帳は、搬送ローラ３４に当接している通帳との接触面の摩擦力が通帳間の摩擦力であることから小さいため、ページ捲りローラ８１の摩擦による通帳繰り出し力が強くなり、図２０に示すように、ページ捲り位置側（通帳挿入口向き方向と逆の方向）に移動する。
【００２３】
このとき、重送検知センサ４５は、ページ捲りローラ８１の回転前には検知範囲を遮っていた重送通帳のうち搬送ローラ３４に当接している通帳が実質的に移動しないために、通帳の存在を検知する状態が継続する。この結果として、重送検知センサ４５からの実質的に変化しない信号を受理する制御部２は重送ありと判断する。
【００２４】
以上では重送検知センサ４５を独立したセンサとして実装した例を示したが、搬送制御センサが機能を兼ねる実装としても差支えない。
【００２５】
また、以上では頁捲りローラ８１を使用して繰り出しを実現しているが、繰り出し専用ローラを設ける方式としても差支えない。
【００２６】
また、以上では頁捲りローラ８１を使用して繰り出しを実現しているが、搬送ローラの一部に繰り出しローラの機能を持たせる方式としても差支えない。
【符号の説明】
【００２７】
１…通帳処理ユニット   
２…制御部   
３…搬送部   
４…検知部   
５…磁気データ処理部   
６…印字部   
７…バーコード読取部   
８…ローラ駆動部   
９…通信部   
３１〜３６…搬送ローラ   
４１〜４５…光学センサ   
５１…磁気ヘッド   
６１…印字ヘッド   
７１…バーコードリーダ  
【図１】
2015114925.tif 000003
【図２】
2015114925.tif 000004
【図３】
2015114925.tif 000005
【図４】
2015114925.tif 000006
【図５】
2015114925.tif 000007
【図６】
2015114925.tif 000008
【図７】
2015114925.tif 000009
【図８】
2015114925.tif 000010
【図９】
2015114925.tif 000011
【図１０】
2015114925.tif 000012
【図１１】
2015114925.tif 000013
【図１２】
2015114925.tif 000014
【図１３】
2015114925.tif 000015
【図１４】
2015114925.tif 000016
【図１５】
2015114925.tif 000017
【図１６】
2015114925.tif 000018
【図１７】
2015114925.tif 000019
【図１８】
2015114925.tif 000020
【図１９】
2015114925.tif 000021
【図２０】
2015114925.tif 000022